(57)【要約】【課題】  従来のハウスに設けた風圧シャツタ、換気扇付のシャツタは、シャツタ枠体にシャツタプレートを枢着し、この複数枚のシャツタプレートの下向き停止において、上側のシャツタプレートの自由端側が、下側のシャツタプレートの表面に接触する線接触による閉塞構造である。この閉塞構造では、一度、シャツタプレートがガタ付いたときには、この閉塞が崩れ、隙間が発生することが知られている。その改良が望まれている。【解決手段】  本発明は、シャツタ枠体と、シャツタ枠体の左右側の鉛直方向に設けた取付け突条と、取付け突条の外側に、基端側を枢着した複数枚のシャツタプレートを支持するシャツタプレート支持金具と、シャツタプレート支持金具の外側の左右側面で、かつ庇方向の中心に枢着した各連動板と、連動板のケーシング側に設けた磁石と、磁石が固着するシャツタ枠体に設けたスペースで構成された高気密性のシャツタである。【選択図】      図１
2011080650.tif 000002
【特許請求の範囲】
【請求項１】
シャツタ枠体と、このシャツタ枠体の左右側の鉛直方向に設けた取付け突条と、この取付け突条の外側に、基端側を枢着した複数枚のシャツタプレートを支持するシャツタプレート支持金具と、このシャツタプレート支持金具の外側の左右側面に枢着した連動板と、この連動板のケーシング側に設けた磁石と、この磁石が固着する前記シャツタ枠体の左右側に設けたスペースとで構成された高気密性のシャツタ。
【請求項２】
請求項１に記載の高気密性のシャツタであって、
前記スペースを、前記シャツタ枠体の周辺に設けたビニール取付け凹部の内側スペースとする構成とした高気密性のシャツタ。
【請求項３】
請求項１に記載の高気密性のシャツタであって、
前記取付け突条と、前記シャツタプレート支持金具と、前記連動板は、風防板として機能する構成とした高気密性のシャツタ。
【発明の詳細な説明】
【技術分野】
【０００１】
本発明は、シャツタのシャツタプレートのバタ付きをなくした高気密性のシャツタに関する。
【背景技術】
【０００２】
ハウス、又は建屋（ハウスとする）に設けられた大型の風圧シャツタ、換気扇付のシャツタ（以下、シャツタとする）においては、シャツタ枠体にシャツタプレートを枢着し、このシャツタプレートの下向き停止（上側のシャツタプレートの自由端側と、下側のシャツタプレートの基端側の重合せ）を利用し、このシャツタを閉塞する構造である。この重合せによる閉塞とは、上側のシャツタプレートの自由端側が、下側のシャツタプレートの表面に接触する、所謂、線接触による閉塞構造である。しかし、この線接触による閉塞構造では、一度、シャツタプレートがガタ付いたときには、この閉塞が崩れ、隙間が発生することが知られている。この隙間が生ずると、粉雪、風、雨等の換気扇及び／又はハウス内への進入があり、エネルギーロスと、作物に悪影響を与えること等の弊害がある。
【０００３】
その他として、例えば、このシャツタプレートは、軽量で、薄肉板状で構成するとともに、庇方向Ｚの幅（シャツタを、ハウスに設置した際に、俯瞰視して、縦幅の長さ）に対して、この庇方向Ｚと直交する、長手方向Ｚ１の長さ（シャツタを、ハウスに設置した際に、その壁面方向の長さで、横幅の長さ）が、略７倍となることにより、このシャツタプレートが歪み易いことから、前記線接触の正確性を期待することが困難視される。従って、線接触による閉塞構造が十分でない。
【０００４】
以上の閉塞構造による問題（閉塞構造の）の改良として、磁石、スプリング、又はフック等の固着手段を介して、シャツタプレートを閉塞する構造が提案されているので、この提案の中で、本発明と関連がある磁石を利用した閉塞構造を説明する。
【０００５】
文献（１）は、特開昭５２−９５８６５号の「換気扇の風圧式シャツタ（変更、以下同じ）開閉装置」がある。この発明は、本体枠の開放部に枢着した複数枚のシャツタと、このシャツタの基端側を連繋する連杆（連動板）で構造した換気扇であって、この連杆の上昇時に、シャツタを閉塞するとともに、この閉塞状態を確保するために、上昇した連杆を磁石で吸着し、この上昇と閉塞状態を確保することを特徴とする。この発明は、連杆の端面積（少ない面積）を磁石の吸着する構造であり、単に端面積による吸着面積での閉塞では、シャツタプレートのガタ付きで、閉塞が崩れる虞がある。このように、シャツタプレートのガタ付きで、閉塞が崩れる構造では、大型のシャツタには、適さない構造である。
【０００６】
文献（２）は、実開平１−１５１１４２号の「換気扇シャツタの開閉機構」がある。この考案は、文献（１）の発明と、略同じ構造であるが、シャツタプレート（シャツタ本体）に設けた磁石と、フレームに設けたソレノイドとで閉塞する構造である。この考案は、シャツタプレートに磁石を設ける構造であり、シャツタプレートのバランスに悪影響すること、この磁石を設けたシャツタプレートと連結棒（連杆）を介して、他のシャツタプレートの閉塞を確保する構造であり、閉塞の確実性に課題があること、各部品の連繋が崩れることで、この閉塞維持が困難となること、等の改良点がある。また、このシャツタプレートと連結棒を介して、他のシャツタプレートの閉塞を確保する構造では、大型のシャツタには、適さない構造である。
【０００７】
文献（３）は、実開昭５９−３８６２５号「換気扇のシャツタ装置」がある。この考案は、大筋で、文献（２）の考案は、略同じ構造であるが、一枚のシャツタプレート（シャツタ）に設けた磁石と、換気扇本体に設けた磁性体とで閉塞する構造である。この考案の問題点は、文献（２）と略同じである。
【０００８】
文献（４）は、実公昭６０−２２２５０号の「換気扇装置」でがある。この考案は、文献（１）と大筋で類似する。
【０００９】
文献（５）は、実用新案登録第２５９４３９７号の「換気扇」である。この考案は、文献（１）と大筋で類似する。
【００１０】
【特許文献１】特開昭５２−９５８６５号
【特許文献２】実開平１−１５１１４２号
【特許文献３】実開昭５９−３８６２５号
【特許文献４】実公昭６０−２２２５０号
【特許文献５】実用新案登録第２５９４３９７号
【発明の概要】
【発明が解決しようとする課題】
【００１１】
前述した文献（１）〜文献（５）の発明、考案では、その構造より、検討すると、小型の換気扇、シャツタには適する反面、本発明が意図する大型のシャツタには、採用できない構造である。その理由を以下に説明する。
（１）  この文献（１）〜文献（５）では、単独の（一つの）磁石と、磁性体とによる吸着面積（接触面積）で、シャツタプレート（シャツタ）の閉塞状態を確保するには、限界がある。従って、シャツタプレートに僅かな衝撃があった場合に、このシャツタプレートの閉塞が崩れる虞がある。
（２）  この文献（１）〜文献（５）では、磁石と、磁性体を、風胴（本体枠、フレーム、又は換気扇本体等）内に設置する構造であり、通路を邪魔することになり、風の流れを乱すこと、又は騒音の要因となること、等の弊害が考えられる。
（３）  この文献（１）〜文献（５）では、磁石と、磁性体を、風胴（本体枠、フレーム、又は換気扇本体等）内に設置する構造であり、この磁石、又は磁性体を大きくすることは不可能であり、当然に、小型のシャツタに限定される本質的な理由がある。
（４）  また、この文献（１）〜文献（５）では、シャツタ（換気扇）の高気密性が図れず、隙間が生ずることが考えられることから、粉雪、風等の換気扇及び／又は建屋内への進入があり、エネルギーロスがあり、また、ハウスでは、作物に悪影響を与えること等の弊害がある。
【課題を解決するための手段】
【００１２】
請求項１の発明は、大型のシャツタに最適なシャツタプレートの閉塞構造を提供すること、また、シャツタ枠体の外側に設けた連動板の長手方向Ｘ（シャツタを、ハウスに設置した際に、ＧＬと棟方向）の全体に、磁石を設けるとともに、この磁石を、シャツタ枠体を磁性体として利用可能な構造を提供すること、等を意図する。また、請求項１の発明は、シャツタ枠体のスペースと、このシャツタ枠体の外側に設けられる連動板と、この連動板に設けた磁石を利用し、シャツタプレートを、このシャツタ枠体に設ける構造とし、このシャツタの風胴を塞がない構造とし、送風面積の確保と、この磁石及び／又は磁性体に起因する騒音の発生をなくすこと、等を意図する。さらに、請求項１の発明は、シャツタプレートの高気密性を図り、隙間からの粉雪、風、雨等の進入防止を図り、エネルギーロスの大幅な減少化、ＣＯ２の削減化、並びにハウスでは、作物への悪影響を回避すること、等を意図する。
【００１３】
請求項１は、シャツタ枠体と、このシャツタ枠体の左右側の鉛直方向に設けた取付け突条と、この取付け突条の外側に、基端側を枢着した複数枚のシャツタプレートを支持するシャツタプレート支持金具と、このシャツタプレート支持金具の外側の左右側面に枢着した連動板と、この連動板のケーシング側に設けた磁石と、この磁石が固着（磁着、当接）する前記シャツタ枠体の左右側に設けたスペースとで構成された高気密性のシャツタである。
【００１４】
請求項２の発明は、請求項１の意図を達成すること、また、連動板に設けた磁石を確実に固着し、かつこの固着を、シャツタ枠体（シャツタの風洞外）に設けること、等を意図する。
【００１５】
請求項２は、請求項１に記載の高気密性のシャツタであって、
前記スペースを、前記シャツタ枠体の周辺に設けたビニール取付け凹部の内側スペースとする構成とした高気密性のシャツタである。
【００１６】
請求項３の発明は、請求項１の意図を達成すること、また、取付け突条と、シャツタプレート支持金具と、連動板の他の目的を付帯すること、等を意図する。
【００１７】
請求項３は、請求項１に記載の高気密性のシャツタであって、
前記取付け突条と、前記シャツタプレート支持金具と、前記連動板は、風防板として機能する構成とした高気密性のシャツタである。
【発明の効果】
【００１８】
請求項１の発明は、シャツタ枠体と、このシャツタ枠体の左右側の鉛直方向に設けた取付け突条と、この取付け突条の外側に、基端側を枢着した複数枚のシャツタプレートを支持するシャツタプレート支持金具と、このシャツタプレート支持金具の外側の左右側面に枢着した連動板と、この連動板のケーシング側に設けた磁石と、この磁石が固着（磁着、当接）する前記シャツタ枠体の左右側に設けたスペースとで構成された高気密性のシャツタである。
【００１９】
従って、請求項１は、大型のシャツタに最適なシャツタプレートの閉塞構造を提供できること、また、シャツタ枠体の外側に設けた連動板の長手方向Ｘ（シャツタを、ハウスに設置した際に、ＧＬと棟方向）の全体に、磁石を設けるとともに、この磁石を、シャツタ枠体を磁性体として利用可能な構造を提供できること、等の特徴がある。また、請求項１は、シャツタ枠体のスペースと、このシャツタ枠体の外側に設けられる連動板と、この連動板に設けた磁石を利用し、シャツタプレートを、このシャツタ枠体に設ける構造とし、このシャツタの風胴を塞がない構造とし、送風面積の確保と、この磁石及び／又は磁性体に起因する騒音の発生をなくし得ること、等の実益がある。そして、また、請求項１は、シャツタプレートの高気密性を図り、隙間からの粉雪、風、雨等の進入防止が図れ、また、エネルギーロスの大幅な減少化、ＣＯ２の削減化、並びにハウスでは、作物への悪影響を回避できること、等の有益性を有する。
【００２０】
請求項２の発明は、請求項１に記載の高気密性のシャツタであって、
スペースを、シャツタ枠体の周辺に設けたビニール取付け凹部の内側スペースとする構成とした高気密性のシャツタである。
【００２１】
従って、請求項２は、請求項１の意図を達成できること、また、連動板に設けた磁石を確実に固着し、かつこの固着を、シャツタ枠体（シャツタの風洞外）に設け得ること、等の特徴がある。
【００２２】
請求項３の発明は、請求項１の意図を達成すること、また、取付け突条と、シャツタプレート支持金具と、連動板の他の目的を付帯すること、等を意図する。
【００２３】
請求項３の発明は、請求項１に記載の高気密性のシャツタであって、
取付け突条と、シャツタプレート支持金具と、連動板は、風防板として機能する構成とした高気密性のシャツタである。
【図面の簡単な説明】
【００２４】
【図１】シャツタの開放状態の正面模式図
【図２】シャツタの開放状態の背面模式図
【図３】シャツタの開放状態の側面模式図
【図４】シャツタプレートとシャツタ枠体、並びにシャツタ枠体の関係を示した一部省略の平面拡大模式図
【図５】シャツタの閉塞状態の正面模式図
【図６】シャツタの閉塞状態の側面模式図
【発明を実施するための形態】
【００２５】
以下、本発明の好ましい一実施例を説明する。
【００２６】
図中１は図示しないハウスの躯体の方形状の空間開口（図示しない）に取付けられる換気扇用（図１〜図４）と、シャツタ用（図５、図６）を構成する方形状のケーシングで、このケーシング１の前面１ａの内側１ａ１には、シャツタ枠体２が設けられる。このシャツタ枠体２の一例を説明すると、正面視して、向かって右側のシャツタ枠板右側２−１と、同左側のシャツタ枠板左側２−２と、同上側のシャツタ枠板上側２−３と、同下側のシャツタ枠板下側２−４とで構成される。また、このケーシング１の前面１ａの外側１ａ２の方形周辺には、ハウスのビニールフィルムを取付け用の取付け凹部３を設ける。この取付け凹部３には、図示しないバネ材が嵌着される。この取付け凹部３に添接されたビニールフィルムをバネ材で、挾持する構造である。尚、前記取付け凹部３は、丁度、シャツタ枠体２の外周面側２ａに設けられる構造である。従って、この実施例では、シャツタ枠体２のシャツタ枠板右側２−１等の各パーツと並行するように、取付け凹部３が設けられる。尚、この取付け凹部３は、後述する風防板の機能を有する。
【００２７】
このシャツタ枠板右側２−１と、シャツタ枠板左側２−２の長手方向Ｘであって、その内側２−１ａ、２−２ａには、風防板（粉雪、風、雨等の侵入を防ぐ）機能を兼ねる取付け突条５−１、５−２がそれぞれ形成される。そして、この取付け突条５−１、５−２には、適宜間隔をおいて、複数個となる左右のシャツタプレート支持金具６−１、６−２の基端側６−１ａ、６−２ａが、多数本の支持ピン７を介して、それぞれ枢着されている。そして、この各左右のシャツタプレート支持金具６−１、６−２の基端側６−１ａ、６−２ａは、多数本の支持ピン７を介して、可動し、この可動限で停止するか、又は可動後に復帰し、この復帰限で停止する。またその自由端側６−１ｂ、６−２ｂは、支持ピン７を支点として可動し、その可動限（ＧＬに対して略水平状態において）で停止し、図１〜図３の如く、後述するシャツタプレート１０が開き、この換気扇Ａ、又は風胴（吹出口）が開放される構造である。また、その自由端側６−１ｂ、６−２ｂが復帰し、この復帰限（ＧＬに対して略鉛直状態において）では、図５、図６の如く、後述するシャツタプレート１０が閉まり、この換気扇Ａ、又は風胴（吹出口）が閉塞される。尚、この左右のシャツタプレート支持金具６−１、６−２の基端側６−１ａ、６−２ａは、絞り込まれた形状であり、後述する連動板の復帰時において、衝突することを回避する。また、前記取付け突条５−１、５−２には、シャツタプレート支持金具６−１、６−２とシャツタプレート１０を枢着する枢着ピンが入る凹部（番号付さず）を複数個設ける。尚、シャツタプレート支持金具６−１、６−２の側面６−１ｃ、６−２ｃは、前記風防板として機能する。
【００２８】
そして、この各左右のシャツタプレート支持金具６−１、６−２には、複数枚のシャツタプレート１０の両端が架承される構造であり、前述の如く、この各左右のシャツタプレート支持金具６−１、６−２の可動と、復帰に追従する構造である。そして、この各シャツタプレート１０の連動した動きと、開放時の一定の開度を保証するために、この各左右のシャツタプレート支持金具６−１、６−２の側面６−１ｃ、６−２ｃのそれぞれを、長手方向Ｘに長い左右一枚のＬ字形形状の連動板１１の所定の箇所で、それぞれ枢着する構造である。従って、この連動板１１を基点とし、複数枚のシャツタプレート１０が、前述の如く、同時に可動し、又は復帰する構造である。そして、また、この連動板１１を基点とし、各シャツタプレート１０が可動するとともに、開放時において、それぞれのシャツタプレート１０は、閉塞方向に向って、可動することは略皆無であり、また、閉塞時においても同様に、それぞれのシャツタプレート１０は、開放方向に向って、可動することは略皆無である。
【００２９】
尚、この左右の連動板１１のシャツタ枠体２の方向への折曲げ自由端１１ａ（シャツタ枠体２側）には、磁石１３が、その長手方向Ｘの全体に設けられており、この磁石１３は、連動板１１が、シャツタプレート支持金具６−１、６−２と、シャツタプレート１０が閉塞状態、換言すると、復帰状態において、シャツタ枠体２の磁性材料（磁性体）でなるシャツタ枠板左右側２−２、２−１に形成された長手方向Ｘのスペース１５の磁性体（素材の特性）に固着（着磁、当接、止着、持着）される構造である。磁石１３の長手方向Ｘの面積に対峙するスペース１５の磁性体面積に固着（吸着）されることで、シャツタプレート１０の両端の裏面側のシャツタ枠体２への密着状態（高密着性）と、このシャツタプレート１０の閉塞状態の強着性が確保される。
【００３０】
図中２０はファン、２１はファン２０のモータを示す。また、２２はモータ支持杆、２３はシャツタケーシング１に内設したベルマウスを示す。尚、換気扇Ａは、図示しないが風圧式シャツタを含む。また、シャツタ枠板下側２−４の上部には、風等の侵入や騒音を回避する折曲り部２５が設けられており、シャツタプレート１０の自由端が添接される構造である。
【００３１】
次に本発明のシャツタプレート１０の可動による開放と、又は復帰方向への可動による閉塞とを説明すると、ファン２０が作動すると、風圧でシャツタプレート１０が押圧されることで、このシャツタプレート１０と同期するシャツタプレート支持金具６−１（対の例では、一方の符号を示す）が、その基端側６−１ａを支点として可動する。この可動で、シャツタプレート支持金具６−１の側面６−１ｃに枢着されている連動板１１に可動（例えば、ハウスの内外側に対する動く）力が作動し、これと同時に、この連動板１１に設けた磁石１３と、シャツタ枠体２のシャツタ枠板左右側２−２、２−１（以下、シャツタ枠体２とする）のスペース１５との固着の離脱となる。従って、シャツタプレート１０及びシャツタプレート支持金具６−１（ともに示す場合は、シャツタプレート１０等とする）への可動が担持される。このシャツタプレート１０は可動し、この可動限で停止する。この可動限の停止で、このシャツタプレート１０等の開放が確保されるとともに、換気扇Ａ、又は風胴（吹出口）は開放状態となる。これによって、ハウスに対する内外気の給排気が行なわれる構造である。
【００３２】
この開放状態から、閉塞状態への移行（復帰）は、例えば、ファン２０を停止すると、例えば、シャツタプレート支持金具６−１は、基端側６−１ａを枢着しているので、その自重と、シャツタプレート１０の自重で復帰するとともに、このシャツタプレート支持金具６−１に偏芯して枢着した連動板１１と、その自重との総合的な力で、このシャツタプレート１０等が復帰する構造である。そして、この復帰と同期して磁石１３とシャツタ枠体２（磁性体）との固着が図れる構造である。この復帰時においては、例えば、シャツタ枠板左右側２−２、２−１に設けた各取付け突条５−１、５−２と、各シャツタプレート支持金具６−１、６−２と、各連動板１１は、風防板機能（防水板機能）を有しており、換気扇内への風水防止に有効である。また、この閉塞状態で、突風時において、シャツタプレート１０のバタ付きと、隙間からの風雨等の侵入防止に有効である。
【００３３】
尚、シャツタプレート１０に、植毛、フェルト、ゴム等の密封性部材を設けることで、さらに気密性を確保することが可能となる。
【００３４】
以上、大型の換気扇付のシャツタに付いて説明したが、前述した、大型の風圧シャツタに、採用することで、同じ効果と特徴を発揮できる。
【符号の説明】
【００３５】
１            ケーシング
１ａ          前面
１ａ１        内側
１ａ２        外側
２            シャツタ枠体
２ａ          外周面側
２−１        シャツタ枠板右側
２−１ａ      内側
２−２        シャツタ枠板左側
２−２ａ      内側
２−３        シャツタ枠板上側
２−４        シャツタ枠板下側
３            取付け凹部
５−１        取付け突条
５−２        取付け突条
６−１        シャツタプレート支持金具
６−１ａ      基端側
６−１ｂ      自由端側
６−１ｃ      側面
６−２        シャツタプレート支持金具
６−２ａ      基端側
６−２ｂ      自由端側
６−２ｃ      側面
７            支持ピン
１０          シャツタプレート
１１          連動板
１１ａ        折曲げ自由端
１３          磁石
１５          スペース
２０          ファン
２１          モータ
２２          モータ支持杆
２３          ベルマウス
２５          折曲り部
Ａ            換気扇
Ｘ            長手方向
Ｚ            庇方向
Ｚ１          長手方向
【図１】
2011080650.tif 000003
【図２】
2011080650.tif 000004
【図３】
2011080650.tif 000005
【図４】
2011080650.tif 000006
【図５】
2011080650.tif 000007
【図６】
2011080650.tif 000008